(57)【特許請求の範囲】
【請求項１】
給湯器から送られた湯を一時的に貯溜する貯湯タンクを浴室の床下又は壁裏に配設し、該貯湯タンクに対して給湯器からの湯を供給する配管及び浴室内の吐水部に該貯湯タンクの湯を導く配管を該貯湯タンクに接続するとともに、該浴室の床又は壁にタンク用開口部と該タンク用開口部を水密に閉鎖する脱着可能な、該床又は壁の一部を成す蓋とを設けて、該開口部近くに前記貯湯タンクを配設し、且つ該貯湯タンクと前記浴室内の配管とを前記蓋の部分で互いに接続したことを特徴とする浴室ユニット。
【請求項２】
浴室の床，壁等の室構成材にタンク用開口部と、該開口部を水密に閉鎖する脱着可能な、該室構成材の一部を成す蓋とを設け、浴室外且つ該開口部近くに給湯器から送られた湯を一時的に貯溜する貯湯タンクを配設し、該貯湯タンクに対して給湯器からの湯を供給する配管を接続するとともに、浴室内の吐水部に対して該貯湯タンクからの湯を導く配管を該貯湯タンクに接続するようになし、且つ該貯湯タンクへの給湯用の配管は一旦浴室内に入り込ませた上で前記蓋を貫通して前記貯湯タンクに到るようになしたことを特徴とする浴室ユニット。
【請求項３】
請求項２において、前記給湯用の配管を浴室内で分離した上、該分離部を互いに接続するようになしたことを特徴とする浴室ユニット。
【発明の詳細な説明】
【０００１】
【発明の属する技術分野】
この発明は浴室ユニットに関し、詳しくは給湯器からの湯を一時的に貯溜し保温しておいて浴室内の吐水部に供給する貯湯タンクの設置構造に特徴を有するものに関する。
【０００２】
【従来の技術】
浴室内の水栓等吐水部への湯の供給は、従来、給湯器で湯を沸かしてこれを給湯用の配管を通じて送ることにより行っていた。
ところでかかる給湯器は浴室の吐水部から遠く離れた場所、一般にはキッチンの外に設置されているのが通例で、そのため浴室の吐水部から湯を出そうとしたときに、先ず長い配管内で冷却された冷たい水が出てしまう。
【０００３】
しかも給湯器が着火して湯を沸かし上げるまでには時間がかかり、この間にも吐水部から冷たい水が流出し続ける。
従って使用者は吐水部から湯が出るまで長い間待たなければならず、この間に苛立ちを感じるとともに、その間に吐水部から吐水された冷水は使用者が求めていない水であってそのまま捨てられることとなり、多量の死に水となってしまう。
この問題は単に浴室内吐水のみならず、洗面化粧台その他の吐水部から湯を出す際に共通して生ずる問題である。
【０００４】
このようなことから、給湯器から送られた湯を一時的に貯溜する貯湯タンクを吐水部近くに設けておき、吐水部を吐水操作したときに、その貯湯タンク内の湯を供給することで即時に吐水部から湯を出すようになした即時給湯装置が提案されている。
しかしながら浴室にあってはこの貯湯タンクを設ける場合にその配設箇所，配設構造が問題となる。
【０００５】
貯湯タンク内部には通例保温のための電気ヒータが設けられており、従って漏電を嫌う浴室においてその貯湯タンクをどのようにして設けるかが問題となるのであり、また貯湯タンクはできるだけ浴室内の水栓等吐水部に近い位置に設けることが望ましいが、一般に浴室内にはそのようなスペースは確保されておらず、従ってその貯湯タンクをどこに置くかといったことも大きな問題となる。
【０００６】
このようなことから、従来、貯湯タンクを浴室ユニットの天井裏に配設することが提案されている（特開平７−２７５１５１）。
図１２はその一例を示したものである。
同図において２００は浴室内に設置された浴槽であり、２０２は浴室内水栓であって、吐水管２０４又はシャワーヘッド２０６から水，湯ないしそれらの混合水を吐水するようになっている。
【０００７】
２０８は給湯器からの湯を一時的に貯溜する貯湯タンクで、換気装置２１０などとともに浴室ユニットの天井裏に配設されている。
この貯湯タンク２０８には、給湯器からの湯を貯湯タンク２０８に供給するための給湯用の配管２１２が接続されており、更にこの貯湯タンク２０８からは同タンク２０８内に貯溜した湯を水栓２０２へと導くための配管２１４が延び出していて、その配管２１４が水栓２０２に接続されている。
【０００８】
【発明が解決しようとする課題】
しかしながらこのように貯湯タンク２０８を天井裏に配設した場合、貯湯タンク２０８から水栓２０２、即ち浴室内の吐水部までの配管長さが長くなり、吐水部から湯を出そうとしたときに先ず長い配管２１４内部で冷却した冷たい水が出てきてしまうといった問題がある外、本来必要のない天井裏にまで長い配管を不自然に立上げ施工しならばならないといった問題があり、また天井裏には各種の機器が設置されることが多く、従って天井裏における貯湯タンク２０８の配設スペースを確保するのも困難であるといった問題がある。
【０００９】
一方貯湯タンクを浴室内に設ければ上記のような問題は解決できるものの、前述したように貯湯タンク内には電気部品（電気ヒータ）が内蔵されており、従ってこの場合には浴室内への漏電の問題が発生する。
そこでこの場合には安全のために絶縁トランスを設けることが必須となるが、このような絶縁トランスを設けると必然的にコストが高くなるとともに施工性が悪くなり、更にこの場合においても絶縁トランスの設置場所が問題となる。
またこのように浴室内に貯湯タンクを配置すると、その貯湯タンクを構成する各機器が腐食等で傷み易いといった問題もある。
【００１０】
【課題を解決するための手段】
本願の発明はこのような課題を解決するためになされたものである。
而して請求項１の浴室ユニットは、給湯器から送られた湯を一時的に貯溜する貯湯タンクを浴室の床下又は壁裏に配設し、該貯湯タンクに対して給湯器からの湯を供給する配管及び浴室内の吐水部に該貯湯タンクの湯を導く配管を該貯湯タンクに接続するとともに、該浴室の床又は壁にタンク用開口部と該タンク用開口部を水密に閉鎖する脱着可能な、該床又は壁の一部を成す蓋とを設けて、該開口部近くに前記貯湯タンクを配設し、且つ該貯湯タンクと前記浴室内の配管とを前記蓋の部分で互いに接続したことを特徴とする。
【００１１】
請求項２の浴室ユニットは、浴室の床，壁等の室構成材にタンク用開口部と、該開口部を水密に閉鎖する脱着可能な、該室構成材の一部を成す蓋とを設け、浴室外且つ該開口部近くに給湯器から送られた湯を一時的に貯溜する貯湯タンクを配設し、該貯湯タンクに対して給湯器からの湯を供給する配管を接続するとともに、浴室内の吐水部に対して該貯湯タンクからの湯を導く配管を該貯湯タンクに接続するようになし、且つ該貯湯タンクへの給湯用の配管は一旦浴室内に入り込ませた上で前記蓋を貫通して前記貯湯タンクに到るようになしたことを特徴とする。
【００１２】
請求項３の浴室ユニットは、請求項２において、前記給湯用の配管を浴室内で分離した上、該分離部を互いに接続するようになしたことを特徴とする。
【００１３】
【作用及び発明の効果】
上記のように請求項１の浴室ユニットは、貯湯タンクを浴室の床下又は壁裏に配設し、その貯湯タンクに対して配管を接続するようになしたもので、この請求項１の浴室ユニットの場合、貯湯タンクを浴室内水栓等の吐水部に可及的に近い位置に配設することができ、従って浴室内の吐水部から湯を出そうとしたときにタイムラグを可及的に少なくし得て、湯を速やかに吐水部から出すことができる。
従って使用者は吐水部から湯が出てくるまで長い間待つ必要がなくなる。
また湯が出て来るまでの間冷水が吐水部から出てしまうことによって、その冷水が死に水となって捨てられてしまうといった問題も解決できる。
【００１４】
更に入浴中に何度かシャワーを使用するが、その毎に起る冷水サンドイッチ現象や２箇所以上に同時出湯した際に起る温度変化を、貯湯タンクによって混合緩和することで解消することができる。
【００１５】
またこの請求項１の浴室ユニットの場合、図１２に示す従来の浴室ユニットのように長い配管を天井裏にまで立上げ施工しなくても良く、また天井裏の煩雑な場所に貯湯タンク配設のためのスペースを確保するといったことも必要でなくなる。
【００１６】
更にまたこの浴室ユニットでは、貯湯タンクを浴室外に配設しているために漏電防止のための絶縁トランスを必要とせず、従ってその絶縁トランスのためにコストがかかるといったこともないし、また天井裏等に絶縁トランス設置のためのスペースを確保する必要もない。
また絶縁トランスを設けなくても良いので施工性も良好となる。
更にまた、貯湯タンクを浴室内に設置した場合のように機器が腐食等で傷むといった問題も生じない。
【００１７】
この請求項１のものは、床又は壁にタンク用開口部とその開口部を水密に閉鎖する脱着可能な蓋を設け、そしてその開口部近く且つ浴室外に貯湯タンクを配設してこれと配管とを接続するようになしており、この浴室ユニットにあっては、上記タンク用開口部を通じて貯湯タンクのメンテナンス作業を容易になすことができる。
【００１８】
この請求項１の浴室ユニットにおいて、上記脱着可能な蓋は、これを透明ないし半透明の樹脂材にて構成することが望ましい。
このようにすれば一般にヒータを内蔵する貯湯タンクの配設箇所に万一何らかの異常が発生した場合、蓋を外すことなく室内側から貯湯タンクないし周辺部をその透明ないし半透明の蓋を通して確認(視認)することができる。
【００１９】
この請求項１のものにおいてはまた、貯湯タンクと浴室内の配管とを上記蓋の部分で互いに接続するようになしており、このようにしておけば、その蓋の部分で接続を外すことによって容易に蓋を取り外し、貯湯タンクのメンテナンス作業を行うことができる。
尚この場合において、浴室内の配管と貯湯タンクとは電気的絶縁材から成る継手を介して接続するようになすことができる。このようにしておけば浴室内への漏電を確実に防止できる。
【００２０】
請求項２のものは、給湯用の配管を浴室外から一旦浴室内に入り込ませた上で、上記蓋を貫通して貯湯タンクに到るようになしたもので、このようにしておけば、浴室内の部分で給湯用の配管を分離・接続するようになすことができ（請求項３）、而してこのようにした場合、浴室の内側からその接続部を外すことができ、そしてその接続部を外すことによって床下の配管を触ることなく貯湯タンクを給湯用の配管本体と切り離した上で蓋を取り外し、貯湯タンクのメンテナンス作業を行うことができる。
【００２１】
加えてこのようにしておけば、万一接続部で漏水が生じた場合にもその漏水は浴室の床上、一般には防水パン上に受けられるため、その漏水が建築側の床に漏れてしまうといったことを防止できる。
尚この場合において、給湯用の配管を蓋の部分で分離且つ接続するようになすことができる。
このようにしておけば、浴室の床の一部を構成する蓋に対して配管を固定状態且つ配管と床（蓋）との間を容易にシールすることができる。
【００２２】
【実施例】
次に本発明の実施例を図面に基づいて詳しく説明する。
図１は浴室内部を示したもので、図中１０は防水パン、１２は壁パネルであり、それら防水パン１０，壁パネル１２によって浴室の床と壁とが構成されている。
防水パン１０は、洗い場１４と浴槽載置部１６とを有するもので、その浴槽載置部１６の上面に浴槽１８が載置されている。
ここで浴槽１８は、周壁部２０の上端に水平な手摺部２２が一体に形成されている。そしてこの手摺部２２の、浴槽１８における足元側の部分に浴槽水栓（吐水部）２４が設けられている。
【００２３】
防水パン１０の洗い場１４側には、これとは別体をなすカウンター２６が壁パネル１２に接するようにして設けられている。そしてそのカウンター２６の前面に洗い場水栓（吐水部）２８が設けられている。
【００２４】
更にその上部においてシャワーヘッド３４が設けられており、そのシャワーヘッド３４がシャワーホース３６を介して洗い場水栓２８に接続されている。
尚、３７は防水パン１０に設けられた排水口である。
【００２５】
防水パン１０には、図３及び図５に示しているように洗い場１４と浴槽載置部１６との境界部に沿って水切用の突条３９が設けられている。
更に防水パン１０における浴槽載置部１６の洗い場１４側の端部且つ浴槽１８の足元側端部、つまり浴槽水栓２４側の端部であって浴槽１８における周壁部２０の外側に位置する部分には、三角筒状の立上り部４０が設けられていてその上面にタンク用開口部４２が形成され、そのタンク用開口部４２がハット状且つ三角形状の脱着可能な蓋４４にてパッキン４６を介し水密に閉鎖されている。
【００２６】
ここでハット状の蓋４４は浴室の床の一部をなすもので、この例では蓋４４は透明ないし半透明の樹脂材にて構成されている。
この点については以下の各実施例についても同様である。
【００２７】
４８は給湯器から送られた湯を一時的に貯溜する貯湯タンクであって、内部に保温のための電気ヒータが設けられている。
本例において、この貯湯タンク４８は、上記立上り部４０及び蓋４４にて囲まれた空間内に且つ図４に示しているようにその上部が開口部４２から一部上向きに突き出す状態で配設されている。
そしてその貯湯タンク４８の下部に、貯湯タンク４８に対して湯を送るためのつなぎ用配管５０が接続されている。
【００２８】
図５において、５２は貯湯タンク４８内の湯を上記水栓２４，２８へと導くための浴室内の配管であって、その下端部が電気的絶縁材から成る継手５４を介して貯湯タンク４８に対し、蓋４４の部分で接続されている。
【００２９】
５６は浴室内に設けられた水用の配管であって、その下端部が同じく電気的絶縁材から成る継手５４を介し蓋４４の部分において水供給用のつなぎ用配管５８に接続されている。
ここで配管５０，５２及び５６，５８は、継手５４により互いに接続されるとともに蓋４４に対して水密に固定状態とされている。
【００３０】
防水パン１０における浴槽載置部１６には、また、図２及び図３に示しているように洗い場１４側の端部且つ浴槽１８の頭部側の端部、即ち上記タンク用開口部４２とは反対側の端部であって浴槽周壁部２０の外側に位置する部分に、上記立上り部４０と同様の形状の立上り部６０が設けられていて、その上面に配管用開口部６２が形成されており、その配管用開口部６２が、板状且つ平面三角形状の脱着可能な蓋６４によりパッキン４６を介し水密に閉鎖されている。
この蓋６４もまた、浴室の床の一部を構成するものである。
【００３１】
この配管用開口部６２の下側には、水供給用の１次側の元配管６６及び湯供給用の１次側の元配管６８の各端部が位置させられており、それらの各端部が、上記つなぎ用配管５８及び５０の各端部と接続されている。
尚上記つなぎ用配管５０，５８は、図３に示しているように防水パン１０における浴槽載置部１６の下側を浴槽１８の長手方向に延びている。
【００３２】
この配管用開口部６２は、配管同士の接続及びその接続部のメンテナンス作業をするためのものであって、このような配管用開口部６２を形成しておくことによって、配管接続作業ないし接続部のメンテナンス作業を容易に行うことができる。
【００３３】
尚、浴槽載置部１６の洗い場１４側の端部に設けられた一対の立上り部４０，６０及びタンク用開口部４２，配管用開口部６２は、それぞれ浴槽のエプロン７０の裏側にあって、そのエプロン７０により通常時は隠蔽された状態にある（図１参照）。
【００３４】
本例では、上記説明から明らかなように給湯用の元配管６８及びつなぎ用配管５０が、全体として貯湯タンク４８に対し給湯器からの湯を供給する配管７２を構成している。
また元配管６６及びつなぎ用配管５８が浴室外における給水用の配管７３を構成している。
【００３５】
図４に示しているように貯湯タンク４８の上部、詳しくは貯湯タンク４８の上端より一定距離下がった部位からは水抜管１１０がカバー４４を貫通して室内側に延び出しており、そして室内においてその水抜管１１０の端部に水抜栓１１２が設けられている。
【００３６】
本例においてこの水抜栓１１２は、水抜管１１０の端部に形成された雄ねじ管部１１０ａと、有底円筒形状をなし内周面の雌ねじ部において雄ねじ管部１１０ａに螺合され、シール材１１４を介して雄ねじ管部１１０ａの開口を閉鎖するキャップ１１６とで構成されている。
【００３７】
以上のような本例の浴室ユニットによれば、貯湯タンク４８を浴室内の浴槽水栓２４，洗い場水栓２８等の吐水部に可及的に近い位置に配設することができ、従って浴室内吐水部から湯を出そうとしたときにタイムラグを可及的に少なくし得て、湯を速やかに吐水部から出すことができる。
従って使用者は吐水部から湯が出てくるまで長い間待つ必要がなくなる。
また湯が出て来るまでの間冷水が吐水部から出てしまうことによって、その冷水が死に水となって捨てられてしまうといった問題も解決できる。
【００３８】
またこの浴室ユニットの場合、図１２に示す従来の浴室ユニットのように長い配管を天井裏にまで立上げ施工しなくても良く、また天井裏の煩雑な場所に貯湯タンク配設のためのスペースを確保するといったことも必要でなくなる。
【００３９】
更にまた、この浴室ユニットでは貯湯タンク４８を浴室外に配設しているため、漏電防止のための絶縁トランスを必要とせず、従ってその絶縁トランスのためにコストがかかるといったこともないし、天井裏等に絶縁トランス設置のためのスペースを確保する必要もなく、また絶縁トランスを設けなくても良いので施工性も良好となる。
更にまた貯湯タンク４８を浴室内に設置した場合のように機器が腐食等で傷むといった問題も生じない。
【００４０】
また本例の浴室ユニットによれば、床にタンク用開口部４２とその開口部４２を水密に閉鎖する脱着可能な蓋４４を設け、そしてその開口部４２近く且つ浴室外に貯湯タンク４８を配設して配管接続するようにしているため、上記タンク用開口部４２を通じて貯湯タンク４８のメンテナンス作業を容易になすことができる。
【００４１】
また本例によれば、貯湯タンク４８と浴室内の配管５２とを上記蓋４４の部分で互いに接続するようにしているため、その蓋４４の部分で接続を外すことによって容易に蓋４４を取り外し、貯湯タンク４８のメンテナンス作業を行うことができる。
更に浴室内の配管５２と貯湯タンク４８とは電気的絶縁材から成る継手５４を介して接続しているため、浴室内への漏電も確実に防止できる。
【００４２】
本例の浴室ユニットによれば、上記タンク用開口部４２を、浴槽載置部１６の洗い場１４側の端部且つ浴槽１８の足元側の端部であって浴槽１８の周壁部２０外側に位置する部分に設けて、その開口部４２近くに貯湯タンク４８を配設していることから、浴槽水栓２４に可及的に近い位置に貯湯タンク４８を配設でき、しかも洗い場水栓２８に対しても近い位置に貯湯タンク４８を位置させることができる。
【００４３】
更に浴室ユニットにおいて生じるデッドスペースを貯湯タンク４８の配設空間として、或いは貯湯タンク４８のメンテナンスのための作業空間として効果的に活用することができるし、浴槽エプロン７０を取り外すことによって洗い場１４側から容易にタンク用開口部４２を通じ、貯湯タンク４８のメンテナンス作業を行うことができる。
【００４４】
また本例では上記タンク用開口部４２とは別途に配管用開口部６２を設け、そこにおいて１次側の元配管６８，６６とつなぎ用配管５０，５８とを接続可能としているため、浴室ユニットの施工に際して予め貯湯タンク４８及び配管５０，５２，５８，５６を浴室の床に組付状態としておくことができ、その後において配管用開口部６２を通じての接続作業により貯湯タンク４８と元配管６８及び浴室内の配管５６と元配管６６とを接続状態とすることができる。
【００４５】
そして本例によれば、貯湯タンク４８から延び出した配管５０及び配管５８の、元配管６８，６６との接続部位を予め厳密に位置出ししておかなくても良く、多少の位置誤差があっても配管用開口部６２を通じて容易にそれらを接続作業することができ、貯湯タンク４８の設置に際しての作業性を良好となすことができる。
【００４６】
またその配管用開口部６２は、浴槽載置部１６における洗い場１４側の端部且つ上記タンク用開口部４２とは反対側の浴槽頭部側の端部であって浴槽１８の周壁部２０の外側に位置する部分に設けてあるため、浴室ユニットにおけるデッドスペース部分を配管接続のための作業空間として、或いは接続部のメンテナンスのための作業空間として有効に活用することができる。
また本例によれば、浴槽エプロン７０を取り外すことによって洗い場１４側から配管用開口部６２を通じて配管接続或いは配管接続部分のメンテナンス作業を容易に行うことができる。
【００４７】
また本例の浴室ユニットでは、タンク用開口部４２，配管用開口部６２ともに浴室床の立上り部４０，６０の上面に形成しているため、それらの開口部４２，６２からの漏水をより防止することができる。
【００４８】
その他本例の浴室ユニットは、蓋４４が透明ないし半透明の樹脂材にて構成されているため、ヒータを内蔵する貯湯タンク４８の配設箇所に万一何らからの異常が発生した場合、蓋４４を外すことなく室内側から貯湯タンク４８ないし周辺部を、その蓋４４を通して確認（視認）できる利点があり、更にまた本例では、貯湯タンク４８内の水を抜くための水抜管１１０及び水抜栓１１２が設けられていることから、例えば長期間貯湯タンク４８を使用しないような場合において、水抜栓１１２を開けて貯湯タンク４８内の水の一部を抜いておくことにより、貯湯タンク４８のヒータの電源をオフ状態としておいても、貯湯タンク４８がその内部の水の凍結によって破損することがない利点を有する。
【００４９】
図６は本発明の他の実施例を示したものである。
この例では、（Ｂ）に示しているように給湯用の配管５０が一旦蓋４４を貫通して浴室内に入り込み、そして浴室内でタンク入口管７４とバイパス管７６とに分岐している。タンク入口管７４は蓋４４を再び貫通して浴室外に出ており、そして蓋の下側において貯湯タンク４８の下部に接続されている。
貯湯タンク４８の上部からは出口管７８が延び出しており、その出口管７８が蓋４４を貫通して浴室内部で上記バイパス管７６と一体化し、配管５２へとつながっている。
【００５０】
ここでタンク入口管７４は、貯湯タンク４８に対して給湯器からの湯を供給するための配管７２の一部を構成している。そしてその配管７２が、本例では浴室内部において、具体的には蓋４４の部分で分離されており、且つその分離部で互いに継手５４により接続されている。
本例ではまた、出口管７８も蓋４４の部分で分離され且つ分離部が互いに継手５４により接続されている。
【００５１】
この例の場合、給湯器から送られてきた湯は浴室内において一旦タンク入口管７４とバイパス管７６に分流する。そしてタンク入口管７４側に流入した湯は貯湯タンク４８内部へと入り込み、これとともに貯湯タンク４８内部に蓄えられている湯が出口管７８から押し出される。そしてその出口管７８から押し出された湯が、バイパス管７６からの流れと合流して配管５２内部に流れ込み、浴室内部の水栓２４，２８へと送られる。
【００５２】
本例では、給湯器の着火後に未だ沸き上がらない水が給湯用の配管７２を通じて送られてきた場合にも、吐水初期から貯湯タンク４８内部の温かいお湯を浴室内部の水栓２４，２８から吐出させることができるとともに、給湯用の配管７２を通じて送られてきた、未だ冷たい水が全部貯湯タンク４８内部に流れ込まず、一部がバイパス管７６を通じて貯湯タンク４８からの湯と合流し、浴室内の水栓２４，２８へと送られる。
【００５３】
従って比較的小容量の貯湯タンク４８内部の湯が効率的に使用され、短い時間でその内部の湯が全部押し出されてしまうといったことがない。このためお湯切れを起こさず、効率的にその内部の湯を利用することができる。また貯湯タンク４８内の湯を効率良く利用できることから貯湯タンク４８のタンク容量を小さくすることができ、貯湯タンク４８の浴室ユニットへの施工がそれだけ容易になる。
【００５４】
上記のように本例では、給湯用配管７２を浴室外から一旦浴室内に入り込ませた上で上記蓋４４を貫通して貯湯タンク４８に到るようにし且つこれを浴室内において、具体的には蓋４４の部分で分離してその分離部を互いに接続するようにしているため、浴室の内側でその接続部を外すことができ、そしてその接続部を外すことによって床下の配管を触ることなく貯湯タンク４８を給湯用配管７２と切り離して蓋４４を取り外し、貯湯タンク４８のメンテナンス作業を行うことができる。
【００５５】
また万一接続部で漏水が生じた場合にもその漏水を浴室の床上、具体的には防水パン１０上に受けることができ、従って漏水が建築側の床に漏れてしまうといったことを防止できる。
【００５６】
図７は図６に示す実施例の他の形態例を示したものである。
図６の実施例の場合、給湯用の配管７２を蓋４４を貫通して浴室内部に入り込ませ、その浴室内部でタンク入口管７４とバイパス管７６とに分岐させるようにしているが、図７の例では（Ｂ）に示しているように給湯用の配管７２を、蓋４４の外側の部分で浴室内部に入り込ませ、そして浴室内でタンク入口管７４とバイパス管７６とに分岐させた上、そのタンク入口管７４を蓋４４を貫通して下側に延び出させ、貯湯タンク４８の下部に接続するようにしている。
【００５７】
尚、出口管７８が蓋４４を貫通して浴室内部に入り込み、そこでバイパス管７６と一体化して配管５２につながっている点は図６に示す実施例と同様である。
この図７に示す実施例においても図６に示す実施例と同様の効果を奏することができる。
【００５８】
図８は更に他の実施例を示したもので、この例では給湯用の配管７２の貯湯タンク４８に続く部分をフレキシブル管８０にて構成している。
尚この場合において、フレキシブル管８０はつなぎ用配管５０の全体若しくはその一部を成すものである。
この実施例においても図６及び図７に示す実施例と同様に貯湯タンク４８内部の湯を効率的に利用でき、従って貯湯タンク４８を小型化できる利点を有する。
更にこの実施例の場合、タンク用開口部４２を通じて貯湯タンク４８を浴室内部に取り出し、浴室内においてそのメンテナンス作業を行うことが可能であり、同メンテナンス作業を容易に行うことができる。
【００５９】
図９は本発明の他の実施例を示したものである。
同図において、２６は防水パン１０とは別体且つその防水パン１０の上に設けられたカウンターで、天板８２と前板８４を有している。
この例では、貯湯タンク４８がカウンター２６の内部空間を利用して浴室の壁裏に配設されている。
詳しくは、浴室の壁を構成する壁パネル１２のカウンター天板８２の下側の位置にタンク用開口部４２が形成されていて、そのタンク用開口部４２が脱着可能な蓋４４によって水密に閉鎖されている。
【００６０】
本例においてもこの蓋４４は浴室の壁の一部を成すものである。そしてその壁の一部を成す蓋４４の外側において貯湯タンク４８が配設され、その貯湯タンク４８に対して給湯用の配管７２が接続されている。
【００６１】
尚この例の場合、図９（Ｂ）に示しているように、水抜管１１０が貯湯タンク４８の底部に続くつなぎ用配管５０から直接蓋４４を貫通して室内側に延び出し、そして室内において水抜栓１１２が水抜管１１０の端部に設けられている。
【００６２】
ここで本例では貯湯タンク４８を壁裏に配設するようにしているが、カウンター２６の下側空間において防水パン１０に同様のタンク用開口部４２を設けてこれを蓋４４にて閉鎖するようにし、そしてその浴室の床を構成する蓋４４の下側に貯湯タンク４８を配設するようになすといったことも可能である。
【００６３】
この実施例の浴室ユニットの場合においても、浴室ユニットにおけるカウンター２６下のデッドスペースを貯湯タンク４８の配設空間として有効に活用することができ、そのカウンター２６に設けた点検口等を通じて貯湯タンク４８のメンテナンス作業を行うことができる。
【００６４】
図１０は本発明の更に他の実施例を示したものである。
この例では防水パン８６が、浴室の床と浴室の壁の一部、具体的にはその壁の下部を構成する形状とされており、そしてその防水パン８６にカウンター８８が一体に形成されている。
【００６５】
カウンター８８は、天板９０と前面壁９２とを有しており、その前面壁９２にタンク用開口部４２とこれを水密に閉鎖する脱着可能な蓋９４とが設けられている。
そしてそのタンク用開口部４２近くにおいてカウンター８８の内部空間に、即ち浴室外に貯湯タンク４８が配設されている。
【００６６】
本例では、図１０に示しているように水栓（吐水部）９５が浴槽水栓と洗い場水栓を兼ねており、その水栓９５に対して貯湯タンク４８の湯と配管７３を通じて送られてきた水とが供給されるようになっている。
【００６７】
尚本例の場合、図１０（Ｂ）に示しているように貯湯タンク４８の下部から水抜管１１０が延び出し、そして蓋９４の裏側、つまり室外側において水抜栓１１２が水抜管１１０の端部に設けられている。
本例の場合、蓋９４を容易に脱着することができ、かかる蓋９４を外すことによって水抜栓１１２を室内側から簡単に操作することができる。
【００６８】
この実施例においても、浴室ユニットにおけるデッドスペースを有効に活用して貯湯タンク４８を配設することができる。
またカウンター８８に設けたタンク用開口部４２を通じて貯湯タンク４８のメンテナンス作業を容易に行うことができる。
【００６９】
次に本発明の更に他の実施例を図１１に基づいて説明する。
同図において９３は防水パンで、この例の防水パン９３は浴室の床と浴室の壁の下部とを構成するものとされている。
この防水パン９３は、また、浴槽１８及びエプロン７０と一体に形成されており、更にまた浴槽１８の上縁面から洗い場１４側に延び出すようにして腰掛部９７が防水パン９３に一体に形成されている。
この腰掛部９７は、足腰の弱い老人などが洗い場１４から浴槽１８に体を移すとき或いはその逆に体を移すときに、一旦腰を掛けて体を移す移乗スペースとなる部分である。
【００７０】
本例では、この腰掛部９７の前面壁９６にタンク用開口部４２とこれを水密に閉鎖する脱着可能な蓋９４とが設けられており、そしてそのタンク用開口部４２の裏側において貯湯タンク４８が配設されている。
本例において腰掛部９７は浴室の内外を仕切る部分となっており、従って本例において貯湯タンク４８は浴室外に配設されている。
尚図１１において、９８，１００はそれぞれ吐水部としての浴槽水栓，洗い場水栓である。
【００７１】
この実施例の浴室ユニットにおいても、浴室ユニットにおけるデッドスペースを有効に活用して貯湯タンク４８を配設することができ、また腰掛部９７の前面壁９６に設けたタンク用開口部４２を通じて貯湯タンク４８のメンテナンス作業を容易に行うことができる。
【００７２】
以上本発明の実施例を詳述したがこれらはあくまで一例示である。
例えば上記第一の実施例では防水パンの一部を上向きに立ち上げ、その立上げ部の上面にタンク用開口部を設けているが、場合によってそのような立上げ部を設けることなく、防水パンの浴槽載置部に直接タンク用開口部を設けて、そのタンク用開口部を深さの深いハット形の蓋にて水密に閉鎖するようにし、そしてその蓋の下側に且つハット形の蓋の内部に全体若しくは一部が収まるようにして貯湯タンクを配設するといったことも可能である。
或いはまた防水パンの浴槽載置部に立上げ部を設けることなく直接配管用開口部を設け、これをハット形或いは板状の蓋にて水密に閉鎖するようになすといったことも可能である。
【００７３】
その他本発明は様々な形態の浴室ユニットに対して適用することが可能であるなど、その主旨を逸脱しない範囲において種々変更を加えた形態で構成可能である。
【図面の簡単な説明】
【図１】  本発明の一実施例である浴室ユニットの内部を示す図である。
【図２】  図１の防水パンの平面図及び断面図である。
【図３】  図１の貯湯タンクの配設部及び配管用開口部の周辺を部分的に拡大して示す斜視図である。
【図４】  図１の貯湯タンク及び周辺部を部分的に拡大して示す断面図である。
【図５】  同じ実施例の貯湯タンク配設部とその周辺部を分解して示す図である。
【図６】  本発明の他の実施例の浴室ユニットの要部を拡大して示す図である。
【図７】  本発明の更に他の実施例の要部を示す図である。
【図８】  本発明の更に他の実施例の要部を示す図である。
【図９】  本発明の更に他の実施例の浴室ユニットとその要部を示す図である。
【図１０】  本発明の更に他の実施例の浴室ユニットとその要部を示す図である。
【図１１】  本発明の更に他の実施例の浴室ユニットの要部を示す図である。
【図１２】  従来の浴室ユニットの一例を示す図である。
【符号の説明】
１０，８６，９３  防水パン
１２  壁パネル
１４  洗い場
１６  浴槽載置部
１８  浴槽
２０  周壁部
２４，９８  浴槽水栓（吐水部）
２６，８８  カウンター
２８，１００  洗い場水栓（吐水部）
４０，６０  立上り部
４２  タンク用開口部
４４，６４，９４  蓋
４８  貯湯タンク
５０，５８  つなぎ用配管
５２，５６，７２，７３  配管
５４  継手
６２  配管用開口部
６６，６８  元配管
７０  エプロン
８０  フレキシブル管
９５  水栓（吐水部）
９７  腰掛部
１１０  水抜管
１１２  水抜栓
【図１】
0003720592.tif 000002
【図２】
0003720592.tif 000003
【図３】
0003720592.tif 000004
【図４】
0003720592.tif 000005
【図５】
0003720592.tif 000006
【図６】
0003720592.tif 000007
【図７】
0003720592.tif 000008
【図８】
0003720592.tif 000009
【図９】
0003720592.tif 000010
【図１０】
0003720592.tif 000011
【図１１】
0003720592.tif 000012
【図１２】
0003720592.tif 000013